(57)【要約】【課題】床材を固定する締結具の位置を床材の上面から確実に把握することができ、しかも、把握した締結具の周辺における床材が踏まれても撓みの発生を防ぐ処理を確実に施すことで、床鳴り現象を補修できる建築物の床鳴り補修方法を提供する。【解決手段】床材２上に敷設した表層仕上げ材４の上面に磁石５を当てがって移動させることで、磁石５の金属と引き合う力を利用して、床材２と根太材１を固定する締結具３の位置を把握し、その締結具３の近くに床材２の上面から新たな締結具６を根太材１に向けて打ち込み、床材２を根太材１に固定する。【選択図】図７
2006009257.tif 000002
【特許請求の範囲】
【請求項１】
床材の上面に磁石を当てがって移動させることで、磁石の金属と引き合う力を利用して、床材と根太材を固定する締結具の位置を把握し、その締結具の近くに床材の上面から新たな締結具を根太材に向けて打ち込み、床材を根太材に固定する建築物の床鳴り補修方法。
【請求項２】
床材の上面に磁石を当てがって移動させることで、磁石の金属と引き合う力を利用して、床材と根太材を固定する締結具の位置を把握し、その締結具の近くに床材の上面から根太材の一部に達する孔をあけ、この孔から液状の充填剤を注入して床材と根太材間に生じた締結具周辺の隙間を埋め、この充填剤を硬化させることにより、床材を根太材に固定する建築物の床鳴り補修方法。
【発明の詳細な説明】
【技術分野】
【０００１】
この発明は、建築物の床に発生した床鳴りを補修するための建築物の床鳴り補修方法に関する。
【背景技術】
【０００２】
建築物の床構造は、図１のように、長い角材からなる根太材１の上に板状の床材２を釘やねじ等の金属製の締結具３を用いて固定し、この床材２の上面にフローリング、カーペット、タイル等の表層仕上げ材４を敷設して形成されている。
【０００３】
ところで、上記のような床構造は、図２のように、時間の経過と共に、乾燥や振動の繰り返しなどで、根太材１が縮径するかあるいは床材２が湿度などの影響で上方に反るなどして、根太材１と床材２の上下対向面間に僅かな隙間ａが生じる場合がある。
【０００４】
このような隙間ａが生じると、図３のように、床材２の上面を踏んだ場合、床材２が体重で隙間の分だけ下方に撓み、締結具３に対して床材２が下がることで締結具３と床材２の間に摩擦が生じ、この摩擦によって、「キュッ、キュッ」という耳障りな床鳴り現象が発生する。
【０００５】
この床鳴り現象を補修するために、従来は床材の下に生じた隙間ａに接着剤を充填する方法が提案されている。
【０００６】
この方法によると、床材に対して隙間ａの生じた部分の上方位置に小さな孔をあけ、この孔から隙間ａに接着剤を注入することによって隙間ａを接着剤で埋め、根太材に対して床材を固定化するようにしている(例えば、特許文献１参照)。
【０００７】
【特許文献１】特公平４−２０４７２号公報
【発明の開示】
【発明が解決しようとする課題】
【０００８】
しかしながら、表層仕上げ材で上面が仕上げられた床構造では、根太材の配置や床材を根太材に固定する締結具の位置が上から全く見えず、床鳴り現象の原因となる隙間の生じた箇所の特定が困難であるという問題がある。
【０００９】
また、根太材の配置が想定できる専門的な業者でも、個々の建築物の床下の状況はつかみにくく、ましてや、締結具の正確な位置は確認しようもない。
そのため、床鳴りの発生する辺りに所かまわず孔をあける結果となり、十分な床鳴り補修の効果が得られない。
【００１０】
本発明者は、上記のような床鳴り現象を解決するための研究を行うなかで、床材と根太材の間に隙間が生じて床鳴り現象を発生させる場合、単に隙間が生じているならば、ここを踏んでも耳障りなほどの床鳴り音を発生しないことに気づき、調査の結果、床材と根太材の間に隙間が生じ、しかも、締結具による固定箇所で発生することがわかった。
【００１１】
このような箇所で床材を踏むと、床材を固定している締結具の金属軸部と床材が擦れ合い、金属と床材の擦り合いの結果、「キュッ、キュッ」という耳障りな床鳴り現象が発生することがわかった。
【００１２】
しかしながら、床構造においては、締結具の位置が床構造の上から見えるように施工されていない。即ち、床材の上面から根太材へ締結具を用いて固定した場合は、その床材の上にフローリング、カーペット、タイル等の表層仕上げ材が接着されるなどして敷設されているからである。
【００１３】
また、さね式による床材の場合は、締結具が床材の厚さの中間部分から根太材へ向けて打ち込まれており、やはり締結具は床材の上面から見えない。
【００１４】
そこで、この発明の課題は、床材を固定する締結具の位置を床材の上面から確実に把握することができ、しかも、把握した締結具の周辺における床材が踏まれても撓みの発生を防ぐ処理を確実に施すことで、床鳴り現象を補修できる建築物の床鳴り補修方法を提供することにある。
【課題を解決するための手段】
【００１５】
上記のような課題を解決するため、請求項１の発明は、床材の上面に磁石を当てがって移動させることで、磁石の金属と引き合う力を利用して、床材と根太材を固定する締結具の位置を把握し、その締結具の近くに床材の上面から新たな締結具を根太材に向けて打ち込み、床材を根太材に固定する構成を採用したものである。
【００１６】
請求項２の発明は、床材の上面に磁石を当てがって移動させることで、磁石の金属と引き合う力を利用して、床材と根太材を固定する締結具の位置を把握し、その締結具の近くに床材の上面から根太材の一部に達する孔をあけ、この孔から液状の充填剤を注入して床材と根太材間に生じた締結具周辺の隙間を埋め、この充填剤を硬化させることにより、床材を根太材に固定する構成を採用したものである。
【００１７】
ここで、上記床材の上面とは、床材そのものの上面だけでなく、この床材上に敷設したフローリング、カーペット、タイル等の表層仕上げ材の上面を含むと共に、上記した新たな締結具を打ち込んだ部分や孔をあけた部分は、床材表面の意匠性が要求される場合、パテなどで補修すればよい。
【発明の効果】
【００１８】
請求項１の発明によると、床材の上面に磁石を当てがって移動させ、磁石の金属と引き合う力を利用して床材と根太材を固定する締結具の位置を把握するようにしたので、締結具の直上位置に臨んだ磁石に固定力が発現することで、上面から見えない締結具の位置を正確に検知することができ、従って、その締結具の近くの位置に床材の上面から新たな締結具を根太材に向けて正確に打ち込むことができ、この新たな締結具で床材を根太材に固定することにより、床材と根太材の間の隙間を無くし、床鳴り現象を確実に補修することができる。
【００１９】
請求項２の発明によると、床材の上面に磁石を当てがって移動させ、磁石の金属と引き合う力を利用して床材と根太材を固定する締結具の位置を把握するようにしたので、締結具の直上位置に臨んだ磁石に固定力が発現することで、上面から見えない締結具の位置を正確に検知することができ、従って、その締結具の近くの位置に床材の上面から根太材の一部に達する孔をあけることができ、この孔から液状の充填剤を注入して床材と根太材間に生じた締結具周辺の隙間を埋めることにより、充填剤の硬化によって床材が踏まれても撓みの発生を防ぐことで、床鳴り現象を確実に補修することができる。
【発明を実施するための最良の形態】
【００２０】
以下、この発明の実施の形態を添付図面に基づいて説明する。
【００２１】
この発明の床鳴り補修方法は、図１で示したように、根太材１の上に板状の床材２を釘やねじ等の金属製の締結具３を用いて固定し、この床材２の上面にフローリング、カーペット、タイル等の表層仕上げ材４を敷設して形成されている床構造において、図４のように、前記締結具３の位置の調査に磁石５を使用し、上面から見えない締結具３の位置を、磁石５の金属と引き合う力を利用して把握すると共に、把握した締結具３の近接した位置に、床鳴り現象の補修手段を施すようにするものであり、この補修手段としては、新たな締結具の打ち込みと、床材と根太材の隙間に液状の充填剤を充填する方法がある。
【００２２】
上記磁石５としては、例えば、締結具３の頭部と同程度かそれよりも少し大きな永久磁石を単独もしくは複数並列配置したものを用い、締結具３の位置を検出するには、図４のように、表層仕上げ材４の上面に磁石５を当てがって移動させるだけでよく、磁石５が締結具３に近づくと、磁石５は金属と引き合う力によって締結具３の直上位置に接近移動しようとする力が加わり、磁石５が締結具３の直上に同軸心状となって臨んだ状態で、磁石５と金属の引き合う力が最大となり、この状態から磁石５を移動させようとすると磁石５の移動に対して抵抗が生じるので、磁石５の移動を止めて手を放すと締結具３の直上位置で停止することになる。
【００２３】
このように、表層仕上げ材４の上面に磁石５を当てがって移動させるだけで、表層仕上げ材４の上面から見えない締結具３の位置を正確に把握することができることになる。
【００２４】
図５乃至図７は、床構造に発生した床鳴りの補修手段である第１の方法を示し、この第１の方法は新たな締結具６を打ち込む例であり、床鳴りが発生した付近の表層仕上げ材４の上面に磁石５を当てがって、上述したように締結具３の位置を把握し、この把握した締結具３の近接位置に、表層仕上げ材４の上面から新たな締結具６を根太材１に向けて打ち込むようにする。
【００２５】
この場合、締結具３の位置を磁石５で正確に把握することができるので、締結具３の近接位置に新たな締結具６を正確に打ち込むことができ、新たな締結具６を根太材１に失敗なく確実に打ち込むことができることになる。
【００２６】
この新たな締結具６を打ち込むと、床材２は根太材１に押し付けられた状態で固定されることにより、床材２は根太材１に重なり、床材２と根太材１の間に生じていた隙間ａがなくなる。
【００２７】
このとき床材２は、根太材１に固定されている締結具３に対して隙間ａの分だけ下がることになるので、図５のように、床材２の上面と締結具３の頭部との間に隙間ｂが発生し、表層仕上げ材４がカーペットのような場合は、締結具３の頭部に該当する部分が盛り上がることになる。
【００２８】
このような、締結具３の頭部に該当する部分の表層仕上げ材４が盛り上がった部分は、図６のように、盛り上がった部分の中央に上面から先の細い軸状金具を打ち込むことにより、締結具３をピンポイント式に打ち込んで、頭部を床材２の上面に沈み込ますようにすればよく、これによって表層仕上げ材４の盛り上がった部分をフラットに戻すことができ、ピンポイント式の打ち込みにより、表層仕上げ材４を傷めることもない。
【００２９】
また、新たな締結具６を打ち込むことによって、この締結具６が沈み込んでできた表層仕上げ材４と床材２の孔７は、図７のように、床材表面の意匠性が要求される場合、パテ８などで補修すればよい。
【００３０】
上記のように、磁石５を用いることにより上面から見えない締結具３の位置を正確に把握することができ、従って、その締結具３の近くの位置に床材２の上面から新たな締結具６を根太材１に向けてミスなく正確に打ち込むことができ、この新たな締結具６で床材２を根太材１に固定することにより、床材２と根太材１の間の隙間を無くし、床鳴り現象を確実に補修することができる。
【００３１】
次に、図８は、床構造に発生した床鳴りを補修する第２の方法を示し、補修手段としては液状の充填剤９を用いる例であり、上述した第１の方法と同様、床鳴りが発生した付近の締結具３の位置を磁石５で把握する。
【００３２】
この後、把握した締結具３の近接位置に、表層仕上げ材４の上面から根太材１の一部に達する孔１０をあけ、この孔１０から液状の充填剤９を注入して床材２と根太材１間に生じた締結具３の周辺の隙間ａを埋めることにより、充填剤９の硬化によって床材２を根太材１に固定し、床材２が踏まれても撓みの発生を防ぐことで、床鳴り現象を確実に補修することができる。
【００３３】
上記液状の充填剤９は、流動性があり、硬化によって強度を発現するものであれば、材質的には特定されない。
【００３４】
なお、表層仕上げ材４と床材２の孔１０は、床材表面の意匠性が要求される場合、パテなどで補修すればよい。
【図面の簡単な説明】
【００３５】
【図１】建築物の床構造を示す縦断面図
【図２】建築物の床構造に床鳴りの原因が生じた状態を示す縦断面図
【図３】建築物の床構造に床鳴りが生じた状態を示す縦断面図
【図４】この発明の補修方法によって締結具の位置を検出している状態を示す縦断面図
【図５】この発明の第１の補修方法によって締結具の近くに新たな締結具を打ち込んだ状態を示す縦断面図
【図６】この発明の第１の補修方法によって締結具の近くに新たな締結具を打ち込み、表層仕上げ材の盛り上がりを修正した状態を示す縦断面図
【図７】この発明の第１の補修方法の完成状態を示す縦断面図
【図８】この発明の第２の補修方法の完成状態を示す縦断面図
【符号の説明】
【００３６】
１        根太材
２        床材
３        締結具
４        表層仕上げ材
５        磁石
６        新たな締結具
７        孔
８        パテ
９        充填剤
１０      孔
【図１】
2006009257.tif 000003
【図２】
2006009257.tif 000004
【図３】
2006009257.tif 000005
【図４】
2006009257.tif 000006
【図５】
2006009257.tif 000007
【図６】
2006009257.tif 000008
【図７】
2006009257.tif 000009
【図８】
2006009257.tif 000010